(57)【特許請求の範囲】
【請求項１】
物体光と参照光を記録媒体の相対向する面から入射し、上記物体光と上記参照光を上記記録媒体上で干渉させることにより生ずる干渉縞を１つの要素ホログラムとして記録する記録手段と、
上記記録手段が１つの要素ホログラムを記録する毎、１つの要素ホログラム分、上記記録媒体を間欠送りする送り手段と、
上記送り手段によって送り操作される記録媒体の進路中であって、上記記録手段に対し後段側の位置に配置され、上記記録媒体の一の面に２次元画像を印画する印画手段とを備え、
上記送り手段は、上記記録手段による要素プログラム毎の記録と、上記印画手段による２次元画像の印画に同期して上記記録媒体を間欠送りする
ことを特徴とするホログラフィックステレオグラム作製装置。
【請求項２】
上記印画手段は、熱転写方式によって上記記録媒体の一の面に２次元画像を印刷することを特徴とする請求項１記載のホログラフィックステレオグラム作成装置。
【請求項３】
上記印画手段は、インクジェット方式によって上記記録媒体の一の面に２次元画像を印刷することを特徴とする請求項１記載のホログラフィックステレオグラム作成装置。
【請求項４】
上記印画手段は、電子写真方式によって上記記録媒体の一の面に２次元画像を印刷することを特徴とする請求項１記載のホログラフィックステレオグラム作成装置。
【発明の詳細な説明】
【０００１】
【発明の属する技術分野】
本発明は、ホログラフィックステレオグラム作成装置に関するものであり、特に、３次元画像と２次元画像を組み合わせて出力することが可能な新規なホログラフィックステレオグラム作成装置に関する。
【０００２】
【従来の技術】
ホログラフィックステレオグラムは、複数の２次元画像から３次元画像を得られるようにしたものであり、被写体を異なる観察点から順次撮影することにより得られた多数の画像を原画として、これらを１枚の記録媒体に短冊状又はドット状の要素ホログラムとして順次記録することにより作成される。
【０００３】
例えば、横方向の視差情報を持つホログラフィックステレオグラムを作成する際は、図６に示すように、先ず、被写体１００を横方向の異なる観察点から順次撮影することにより、視点が異なり横方向の視差情報を有する複数の画像からなる視差画像列１０１を得る。なお、この視差画像列は、実際に被写体１００を撮影したものでなくてもよく、例えば、コンピュータによって生成されたＣＡＤ（Ｃｏｍｐｕｔｅｒ  Ａｉｄｅｄ  Ｄｅｓｉｇｎ）画像やＣＧ（ＣｏｍｐｕｔｅｒＧｒａｐｈｉｃｓ）画像等からなるものであってもよい。そして、この視差画像列の各画像１０２を、短冊状の要素ホログラムとして記録媒体１０３に横方向に連続するように順次記録する。これにより、横方向に視差情報を持つホログラフィックステレオグラムが得られる。
【０００４】
このホログラフィックステレオグラムでは、横方向の異なる観察点から順次撮影することにより得られた複数の画像の情報が、短冊状の要素ホログラムとして横方向に連続するように順次記録されているので、このホログラフィックステレオグラムを観察者が両目で見たとき、その左右の目にそれぞれ写る画像は若干異なるものとなる。これにより、観察者は視差を感じることとなり、３次元画像が再生されることとなる。
【０００５】
【発明が解決しようとする課題】
立体的な３次元画像を記録媒体に記録する装置として、上述のようなホログラフィックステレオグラムの原理を利用して３次元画像を記録媒体に記録するホログラフィックステレオグラム作成装置の研究が進められている。しかし、従来のホログラフィックステレオグラム作成装置は、視差画像列に基づいて３次元画像を記録するだけであり、比較的に単純な画像しか記録できなかった。
【０００６】
そして、例えば、３次元画像と２次元画像とを組み合わせたような複雑な画像を記録媒体に記録して出力するような装置については、未だ研究も開発されていないのが現状である。
【０００７】
本発明は、このような従来の実情に鑑みて提案されたものであり、３次元画像と２次元画像とを組み合わせた画像を記録媒体に記録して出力することが可能な新規なホログラフィックステレオグラム作成装置を提供することを目的としている。
【０００８】
【課題を解決するための手段】
上述の目的を達成するため、本発明に係るホログラフィックステレオグラム作成装置は、物体光と参照光を記録媒体の相対向する面から入射し、上記物体光と上記参照光を上記記録媒体上で干渉させることにより生ずる干渉縞を１つの要素ホログラムとして記録する記録手段と、上記記録手段が１つの要素ホログラムを記録する毎、１つの要素ホログラム分、上記記録媒体を間欠送りする送り手段と、上記送り手段によって送り操作される記録媒体の進路中であって、上記記録手段に対し後段側の位置に配置され、上記記録媒体の一の面に２次元画像を印画する印画手段とを備え、上記送り手段は、上記記録手段による要素プログラム毎の記録と、上記印画手段による２次元画像の印画に同期して上記記録媒体を間欠送りすることを特徴とする。
【０００９】
本発明に係るホログラフィックステレオグラム作成装置では、２次元画像を印画する印画手段によって記録媒体に２次元画像を印刷する。したがって、このホログラフィックステレオグラム作成装置では、ホログラフィックステレオグラムとして記録された３次元画像と、２次元画像の印画手段によって印画された２次元画像とを組み合わせた画像を、記録媒体に記録することができる。
【００１０】
【発明の実施の形態】
以下、本発明の具体的な実施の形態について図面を参照して詳細に説明する。なお、本発明は以下の例に限定されるものではなく、本発明の要旨を逸脱しない範囲で、任意の変更可能であることは言うまでもない。
【００１１】
まず、本実施の形態に係るホログラフィックステレオグラム作成装置で使用される記録媒体について図１を参照して説明する。
【００１２】
図１に示すように、この記録媒体１０は、無色透明の樹脂フィルム等よりなる基体１１上に、ホログラフィック材料よりなるホログラム記録層１２が形成され、更に、ホログラム記録層１２上に、無色透明の樹脂フィルム等よりなる保護層１３が形成されている。なお、保護層１３は必ずしも必要ではなく、記録媒体１０は、基体１１とホログラム記録層１２だけで構成されていてもよい。
【００１３】
この記録媒体１０に３次元画像を記録する際は、後述するように、参照光が基体１１を透過してホログラム記録層１２に入射するとともに、物体光が保護層１３を透過してホログラム記録層１２に入射し、それらの干渉縞がホログラム記録層１２に記録される。したがって、基体１１及び保護層１３は、光散乱が少ないこと、複屈折が少ないこと、光透過率が高いこと等の光学特性が要求される。
【００１４】
一方、ホログラム記録層１２には、従来公知のホログラフィック材料が広く使用可能であるが、特に、参照光と物体光の干渉によって生じる干渉縞を屈折率の変化として記録するものが好適である。そこで、本実施の形態では、ホログラム記録層１２を形成するホログラフィック材料として、デュポン社製の商品名「ＯＭＮＩ−ＤＥＸ」を用いた。このホログラフィック材料は、光重合型フォトポリマからなり、初期状態では、図２（Ａ）に示すように、モノマＭがマトリクスポリマに均一に分散している。これに対して、図２（Ｂ）に示すように、１０〜４００ｍＪ／ｃｍ2 程度のパワーの光Ｌａを照射すると、照射された光Ｌａのパワーに応じて、露光された部分のモノマＭが重合し、その結果、モノマＭの濃度が場所によって変化して、屈折率変調が生じる。この後、図２（Ｃ）に示すように、１０００ｍＪ／ｃｍ2 程度のパワーの紫外線Ｌｂを全面に照射することにより、モノマＭの重合が完了し、屈折率変調度が増強されるとともに、この屈折率変調が定着する。
【００１５】
本実施の形態では、このような記録媒体１０に対して、ホログラム記録層１２にホログラフィックステレオグラムとして３次元画像を記録するとともに、記録媒体１０の一方の面、すなわち基体１１上又は保護層１３上に２次元画像を印刷する。ここで、２次元画像を印刷する側の面は、２次元画像を印刷したときにインクの発色性及び定着性が良くなるようにしておくことが望ましい。例えば、２次元画像を昇華熱転写方式によって記録する場合は、２次元画像を印刷する側の面に、昇華染料を吸着しやすい昇華拡散層を予め設けておくことが望ましい。
【００１６】
なお、記録媒体１０を基体１１とホログラム記録層１２だけで構成し、保護層１３を形成していないときには、２次元画像をホログラム記録層１２上に印刷するようにしてもよい。このときは、ホログラム記録層１２をインクの定着性や発色性に優れた材料によって形成することが好ましい。さらに、ホログラム記録層１２に対して３次元画像を記録するとともに２次元画像を印刷するようにしたときには、３次元画像の記録及び２次元画像の印刷が完了した後、ホログラム記録層１２上に樹脂フィルム等からなる保護層を被覆するようにすることが好ましい。これにより、３次元画像と２次元画像の両方が、保護層によって保護され、劣化しにくくなる。
【００１７】
つぎに、以上のような記録媒体１０に対して、ホログラフィックステレオグラムとして３次元画像を記録するとともに、２次元画像を印刷して出力する、本実施の形態に係るホログラフィックステレオグラム作成装置について説明する。
【００１８】
このホログラフィックステレオグラム作成装置は、いわゆるワンステップホログラフィックステレオグラムの作成装置であり、物体光と参照光との干渉縞が記録された記録媒体自体をホログラフィックステレオグラムとして出力する。
【００１９】
このホログラフィックステレオグラム作成装置は、図３に示すように、記録対象の画像データの処理を行うデータ処理部２１と、このシステム全体の制御を行う制御用コンピュータ２２と、ホログラフィックステレオグラム作成用の光学系を有する露光処理部２３とから構成されている。
【００２０】
上記データ処理部２１は、視差画像列撮影装置や視差画像列生成用コンピュータ等から視差画像列Ｄ１を読み込み、当該視差画像列Ｄ１に対して画像処理用コンピュータ２４によってホログラフィックステレオグラム用の所定の画像処理、例えば視点変換処理やキーストン歪み補正処理等を施し、所定の画像処理が施された画像データＤ２を、メモリ又はハードディスク等の記憶装置２５に記録する。
【００２１】
ここで、視差画像列撮影装置は、例えば、多眼式カメラによる同時撮影や移動式カメラによる連続撮影等によって、被写体を横方向の異なる複数の視点から撮影したものを視差画像列Ｄ１として画像処理用コンピュータ２４に供給する。また、視差画像列生成用コンピュータは、ＣＡＤやＣＧ等の手法を利用して、視差情報を含む複数の画像からなる視差画像列Ｄ１を作成し、当該視差画像列Ｄ１を画像処理用コンピュータ２４に供給する。
【００２２】
また、データ処理部２１は、ホログラフィックステレオグラムを作成する際に、記憶装置２５から１画像分毎に画像データを順番に読み出し、この画像データＤ３を制御用コンピュータ２２に送出する。
【００２３】
制御用コンピュータ２２は、露光処理部２３を制御して、データ処理部２１から供給された画像データＤ３に基づく画像を、露光処理部２３内にセットされた記録媒体１０に、短冊状の要素ホログラムとして順次記録する。
【００２４】
このとき、制御用コンピュータ２２は、後述するように、露光処理部２３に設けられたシャッタ、表示装置及びプリンタヘッド部等の制御を行う。すなわち、制御用コンピュータ２２は、シャッタに制御信号Ｓ１を送出してシャッタの開閉を制御し、また、表示装置に画像データＤ４を供給して表示装置に当該画像データＤ４に基づく画像を表示させ、また、プリンタヘッド部に制御信号Ｓ２を送出してプリンタヘッド部による記録媒体１０の送り動作等を制御する。
【００２５】
上記露光処理部２３について、図４を参照して詳細に説明する。ここで、図４（Ａ）は、露光処理部２３の全体の光学系を上方から見た図であり、図４（Ｂ）は、露光処理部２３の光学系の物体光用の部分を横方向から見た図である。なお、本発明を適用したホログラフィックステレオグラム作成装置において、光学系は図４に示すようなものでなくてもよく、ホログラフィックステレオグラムを作成することができるものであれば、例えば、参照光の入射方向や、レンズの数、種類、組合わせ等を適宜変更することが可能である。
【００２６】
図４（Ａ）に示すように、露光処理部２３は、所定の波長のレーザ光を出射するレーザ光源３１と、レーザ光源３１からのレーザ光Ｌ１の光軸上に配されたシャッタ３２及びハーフミラー３３とを備えている。
【００２７】
上記シャッタ３２は、制御用コンピュータ２２によって制御され、記録媒体１０を露光しないときには閉じられ、記録媒体１０を露光するときに開放される。なお、ここでは、シャッタ３２を用いてレーザ光のオンオフを切り換えるようにしているが、半導体レーザのように立ち上がり時に直ぐに安定なレーザ光が出射される光源をレーザ光源３１に使用するときには、レーザ光源自体をオンオフすることにより、シャッタ３２の代わりとしても良い。
【００２８】
ハーフミラー３３は、シャッタ３２を通過してきたレーザ光Ｌ２を、参照光と物体光とに分割するためのものであり、ハーフミラー３３によって反射された光Ｌ３が参照光となり、ハーフミラー３３を透過した光Ｌ４が物体光となる。
【００２９】
ハーフミラー３３によって反射された光Ｌ３の光軸上には、参照光用の光学系として、シリンドリカルレンズ３４と、参照光を平行光とするためのコリメータレンズ３５と、コリメータレンズ３５からの平行光を反射する全反射ミラー３６とが、この順に配置されている。
【００３０】
そして、ハーフミラー３３によって反射された光は、先ず、シリンドリカルレンズ３４によって発散光とされ、次いで、コリメータレンズ３５によって平行光とされる。その後、全反射ミラー３６によって反射され、記録媒体１０に入射する。
【００３１】
一方、ハーフミラー３３を透過した光Ｌ４の光軸上には、図４（Ａ）及び図４（Ｂ）に示すように、物体光用の光学系として、ハーフミラー３３からの透過光を反射する全反射ミラー３７と、凸レンズとピンホールを組み合わせたスペーシャルフィルタ３８と、物体光を平行光とするためのコリメータレンズ３９と、記録対象の画像を表示する表示装置４０と、物体光を記録媒体１０に投影するための投影レンズ４１と、物体光を記録媒体１０上に集光させるシリンドリカルレンズ４２とがこの順に配置されている。
【００３２】
そして、ハーフミラー３３を透過した光Ｌ４は、全反射ミラー３７によって反射された後、スペーシャルフィルタ３８によって点光源からの拡散光とされる。次に、コリメータレンズ３９によって平行光とされ、その後、表示装置４０に入射する。ここで、表示装置４０は、例えば液晶パネルからなる透過型の画像表示装置であり、制御用コンピュータ２２から送られた画像データＤ４に基づく画像を表示する。そして、表示装置４０を透過した光は、表示装置４０に表示された画像に応じて変調された後、投影レンズ４１を介してシリンドリカルレンズ４２に入射する。
【００３３】
そして、表示装置４０を透過した光は、シリンドリカルレンズ４２により横方向に集束され、この集束光が物体光として記録媒体１０に入射する。すなわち、この露光処理部２３では、表示装置４０からの投影光が短冊状の物体光として記録媒体１０に入射する。
【００３４】
ここで、参照光及び物体光は、参照光が記録媒体１０に対して基体１１を透過してホログラム記録層１２に入射し、物体光が記録媒体１０に対して保護層１３を透過してホログラム記録層１２に入射するようにする。すなわち、記録媒体１０の一方の主面に、参照光を所定の入射角度にて入射させるとともに、記録媒体１０の他方の主面に、物体光を記録媒体１０に対して光軸がほぼ垂直となるように入射させる。これにより、参照光と物体光とが記録媒体１０のホログラム記録層１２上において干渉し、当該干渉によって生じる干渉縞が、記録媒体１０のホログラム記録層１２に屈折率の変化として記録される。
【００３５】
ここで、ハーフミラー３３によって反射され記録媒体１０に入射する参照光の光路長と、ハーフミラー３３を透過し表示装置４０を介して記録媒体１０に入射する物体光の光路長とは、ほぼ同じ長さとすることが好ましい。これにより、参照光と物体光との干渉性が高まり、ホログラフィックステレオグラムの画質が向上する。
【００３６】
また、この露光処理部２３は、制御用コンピュータ２２の制御のもとに、記録媒体１０を間欠送りし得るプリンタヘッド部４３を有している。このプリンタヘッド部４３は、プリンタヘッド部４３に所定の状態でセットされた記録媒体１０に、１つの画像が１つの要素ホログラムとして記録される毎に、制御用コンピュータ２２からの制御信号Ｓ２に基づいて、記録媒体１０を１要素ホログラム分だけ間欠送りする。これにより、データ処理部２１で処理された画像データＤ２に基づく画像が、要素ホログラムとして、記録媒体１０に横方向に連続するように順次記録される。また、このプリンタヘッド部４３は、以下に説明するように、記録媒体１０に２次元画像を印刷するプリンタを備えており、要素ホログラムの記録が完了した記録媒体１０に対して２次元画像を印刷し得るようになっている。
【００３７】
上記プリンタヘッド部４３について、図５を参照して更に詳細に説明する。
【００３８】
このプリンタヘッド部４３は、所定位置に装填されたフィルムカートリッジ５１内の間欠送り用ローラ５２を、所定のトルクをもって回転自在に軸支するとともに、当該フィルムカートリッジ５１から引き出された記録媒体１０を、間欠送り用ローラ５３とピンチローラ５４とで挟み込むようにして保持し得るようになされている。これにより、記録媒体１０は、間欠送り用ローラ５２と間欠送り用ローラ５３との間において、物体光に対してほぼ垂直に保持される。
【００３９】
ここで、間欠送り用ローラ５２と間欠送り用ローラ５３は、図示しないトーションコイルばねにより、互いに離反する方向に付勢されている。これにより、間欠送り用ローラ５２と間欠送り用ローラ５３との間に掛け渡されるように配される記録媒体１０に対して、所定のテンションが付与され、この結果、記録媒体１０の位置が安定し、記録媒体１０に生じる振動が抑制される。なお、このようなテンションは、ピンチローラ方式やスプロケット送り方式等によって付与するようにしてもよい。
【００４０】
また、間欠送り用ローラ５２と間欠送り用ローラ５３との間には、１次元拡散板５５及びルーバフィルム５６を湾曲させた状態で一体に貼合わせた光学部品５７が、物体光の入射位置に対応させて配置される。この光学部品５７は、図示しない光学部品駆動機構により、矢印ｂで示すような記録媒体１０と近接又は離反する方向に移動自在に保持されている。
【００４１】
ここで、１次元拡散板５５は、ホログラフィックステレオグラムに縦方向の視野角を持たせるためのものである。すなわち、この１次元拡散板５５によって、物体光が縦方向、すなわち作成される要素ホログラムの長軸方向に拡散され、これにより、作成されるホログラフィックステレオグラムは縦方向の視野角を有することとなる。また、ルーバーフィルム５６は、微細な簾状の格子を有する光学部品であり、記録媒体１０を透過した参照光が１次元拡散板５５によって反射されて、再び記録媒体１０に入射するのを防ぐためのものである。
【００４２】
上記光学部品駆動機構は、露光動作開始前に制御用コンピュータ２２から供給される制御信号Ｓ２に基づいて駆動し、光学部品５７を記録媒体１０に近接する方向に移動させる。これにより、光学部品５７は、間欠送り用ローラ５２と間欠送り用ローラ５３との間にローデイングされた記録媒体１０に押しつけられる。このように、光学部品５７が記録媒体１０に押しつけられることにより、記録媒体１０の微小振動を抑えられ、その結果、回折効率に優れ、明るい再生像が得られるホログラフィックステレオグラムを作成することが可能となる。
【００４３】
また、間欠送り用ローラ５３は、図示しないステッピングモータによって矢印ｃで示す方向に自在に回転し得るようになされている。このステッピングモータは、制御用コンピュータ２２から供給される制御信号Ｓ２に基づいて、１画像分の露光終了毎に間欠送り用ローラ５３を順次所定角度だけ回転させるようになされており、これにより、記録媒体１０が１画像分の露光終了毎に１要素ホログラム分だけ送られる。
【００４４】
また、記録媒体１０の進路のうち間欠送り用ローラ５３の後段には、記録媒体１０の進路に沿って紫外線ランプ５８と、回転自在に軸支されたヒートローラ５９とが配設されている。紫外線ランプ５８は、間欠送り用ローラ５３によって送られてくる記録媒体１０に対して紫外線Ｌｂを照射するためのものであり、この紫外線ランプ５８によって記録媒体１０に紫外線Ｌｂが照射されることにより、記録媒体１０のモノマ２５の重合が完了する。
【００４５】
ヒートローラ５９は、内部にヒータ等の発熱手段が設けられており、これにより、その周面が約１２０℃程度の温度を保ち得るようになされている。そして、このヒートローラ５９は、記録媒体１０を加熱することにより、記録媒体１０の屈折率変調度を増加させ、記録媒体１０に記録画像を定着させる。
【００４６】
さらに、記録媒体１０の進路のうちヒートローラ５９の後段には、プリンタ６０が配設されている。このプリンタ６０は、ホログラフィックステレオグラムとして３次元画像が記録された記録媒体１０に対して、２次元画像を印刷するためのものである。
【００４７】
このプリンタ６０は、２次元画像を印刷することができるプリンタであればどのようなプリンタでも良い。ただし、ホログラフィックステレオグラムを作成する際には、振動をできるだけ抑えることが望まれるので、このプリンタ６０には、できるだけ振動の発生が少ないプリンタが望まれる。例えば、物理的な力によってインクリボン上のインクを記録媒体に転写することにより印刷するドットインパクト方式のプリンタは、大きな振動が発生しやすいので好ましくない。したがって、本実施の形態に係るホログラフィックステレオグラム作成装置に使用されるプリンタ６０としては、インクジェット方式、熱転写方式又は電子写真方式等のようなノンインパクト方式のプリンタが好ましい。
【００４８】
インクジェット方式のプリンタでは、液体のインクを微少なノズルから吐出させて記録媒体に付着させることによって、画像を印刷する。インクジェット方式のプリンタとしては、圧電体を使うタイプのものと、インクを加熱気化するタイプのものとが主に使用されている。圧電体を使うタイプのインクジェット方式のプリンタでは、圧電体に通電することで圧電体の寸法が伸び縮みすることを利用して、インクが充填されたインク室の容積を変化させて、インク室に通じたノズルからインクを吐出させる。一方、インクを加熱気化するタイプのインクジェット方式のプリンタでは、インク室内に設けたヒータに通電加熱してインク室内に気泡を発生させ、気泡が発生することによって生じる圧力によって、インク室に通じたノズルからインクを吐出させる。
【００４９】
また、熱転写方式のプリンタでは、微細な発熱体を並べたサーマルヘッドを使って固体インクを加熱してインクを記録媒体に転写させることによって、画像を印刷する。熱転写方式のプリンタとしては、インクを溶融させるタイプのものと、インクを昇華させるタイプのものとが主に使用されている。インクを溶融させるタイプの熱転写方式のプリンタでは、熱を加えると溶融するインクを使用する。そして、サーマルヘッドの発熱体に通電することによりサーマルヘッドを発熱させ、これにより、サーマルヘッドに対応した部分のインクを溶融させて記録媒体に転写する。一方、インクを昇華させるタイプの熱転写方式のプリンタでは、熱を加えると昇華するインクを使用する。そして、サーマルヘッドの発熱体に通電することによりサーマルヘッドを発熱させ、これにより、サーマルヘッドに対応した部分のインクを昇華させて記録媒体に転写する。なお、インクを昇華させて記録媒体に転写する際は、昇華染料を吸着しやすい昇華拡散層を記録媒体に予め設けておく必要がある。
【００５０】
また、電子写真方式のプリンタは、感光体ドラム上に対して画像信号に応じて選択的に光照射を行って静電潜像を形成し、この静電潜像にトナーを付着させ、当該トナーを記録媒体に転写することによって、画像を印刷する。
【００５１】
本実施の形態に係るホログラフィックステレオグラム作成装置では、このようなプリンタ６０を備えているので、１つの記録媒体１０に対して、ホログラフィックステレオグラムとして３次元画像を記録するとともに、プリンタ６０によって２次元画像を印刷することができる。したがって、このホログラフィックステレオグラム作成装置では、３次元画像と２次元画像とを組み合わせた画像を、１つの記録媒体１０に記録して出力することができる。
【００５２】
以上のようなホログラフィックステレオグラム作成装置によって３次元画像と２次元画像とを組み合わせた画像を記録媒体１０に記録する際は、先ず、記録媒体１０を間欠送り用ローラ５２と間欠送り用ローラ５３との間にローディングさせた状態で、制御用コンピュータ２２からプリンタヘッド部４３の光学部品駆動機構に制御信号Ｓ２を送出して、該光学部品駆動機構を駆動させ、光学部品５７を記録媒体１０に所定圧力で押しつける。
【００５３】
次いで、制御用コンピュータ２２から露光処理部２３の表示装置４０に画像データＤ４を送出し、当該画像データＤ４に基づく露光用画像を表示装置４０に表示させるとともに、制御用コンピュータ２２からシャッタ３２に制御信号Ｓ１を送出し、所定時間だけシャッタ３２を開放させ、記録媒体１０を露光する。
【００５４】
このとき、レーザ光源３１から出射されシャッタ３２を透過したレーザ光Ｌ２のうち、ハーフミラー３３によって反射された光Ｌ３が、参照光として記録媒体１０に入射する。また、ハーフミラー３３を透過した光Ｌ４が、表示装置４０に表示された画像が投影された投影光となり、当該投影光が物体光として記録媒体１０に入射する。これにより、表示装置４０に表示された露光用画像が、記録媒体１０に短冊状の要素ホログラムとして記録される。
【００５５】
そして、記録媒体１０への１画像の記録が終了したら、次いで、制御用コンピュータ２２からプリンタヘッド部４３に制御信号Ｓ２を送出し、記録媒体１０を１要素ホログラム分だけ送らせる。
【００５６】
以上の動作を、表示装置４０に表示させる露光用画像を視差画像列順に順次変えて繰り返す。これにより、データ処理部２１によって処理された画像データＤ２に基づく露光用画像が、記録媒体１０に短冊状の要素ホログラムとして順次記録される。
【００５７】
以上のように、このホログラフィックステレオグラム作成装置では、データ処理部２１によって処理された画像データＤ２に基づく複数の露光用画像が表示装置４０に順次表示されるとともに、各画像毎にシャッタ３２が開放され、各画像がそれぞれ短冊状の要素ホログラムとして記録媒体１０に順次記録される。このとき、記録媒体１０は、１画像毎に１要素ホログラム分だけ送られるので、各要素ホログラムは、横方向に連続して並ぶこととなる。これにより、横方向の視差情報を含む複数の画像が、横方向に連続した複数の要素ホログラムとして記録媒体１０に記録され、横方向の視差を有するホログラフィックステレオグラムが得られる。
【００５８】
また、このように露光された記録媒体１０は、その後、プリンタヘッド部４３において、紫外線ランプ５８によって記録媒体１０の全面に亘って紫外線Ｌｂが照射され、これにより、記録媒体１０のホログラム記録層１２のモノマ２５の重合が完了する。さらに、この紫外線ランプ５８の後段において、ヒートローラ５９により、記録媒体１０が加熱される。これにより、ホログラム記録層１２の屈折率変調度が増加し、記録画像が定着する。
【００５９】
そして、この後、プリンタ６０によって、記録媒体１０に２次元画像が印刷される。これにより、記録媒体１０に、ホログラフィックステレオグラムとして３次元画像が記録されるとともに、２次元画像が印刷され、結果として、３次元画像と２次元画像とを組み合わせた画像が記録媒体１０に記録されることとなる。
【００６０】
なお、プリンタ６０による２次元画像の印刷は、ホログラフィックステレオグラム作成時における記録媒体１０の送り動作と同期させて行うようにすることが好ましい。これにより、プリンタ６０で２次元画像の印刷を行うようにしても、印刷に要する時間が増すことなく、３次元画像だけを記録するときと同程度の時間で、３次元画像の記録と２次元画像の印刷の両方を行うことが可能となる。
【００６１】
なお、上述の実施の形態においては、短冊状の複数の要素ホログラムを１つの記録媒体に記録することによって横方向の視差情報を持たせたホログラフィックステレオグラムを例に挙げて説明したが、本発明は、縦方向の視差情報を持たせたホログラフィックステレオグラムや、ドット状の複数の要素ホログラムを１つの記録媒体に記録することによって横方向及び縦方向の視差情報を持たせたホログラフィックステレオグラムに対しても適用可能であることは言うまでもない。
【００６２】
また、上述の実施の形態においては、単色のホログラフィックステレオグラムを例に挙げて説明したが、カラーのホログラフィックステレオグラムに対しても本発明は全く同様に適用することが可能である。カラーのホログラフィックステレオグラムを作成するときは、例えば、記録用の光として光の３原色となる３つの光を使用するようにすればよい。
【００６３】
【発明の効果】
以上の説明のように、本発明に係るホログラフィックステレオグラム作成装置は、記録媒体に２次元画像を印画する印画手段を備えているので、ホログラフィックステレオグラムとして記録された３次元画像と、２次元画像の印画手段によって印画された２次元画像とを組み合わせた画像を、記録媒体に記録することができる。
【００６４】
したがって、本発明によれば、立体的な３次元画像と、照明光がなくても鮮明に見ることができる２次元画像とを組み合わせた様々な画像を得ることが可能となり、表現できる画像の幅が大いに広がることとなる。
【図面の簡単な説明】
【図１】記録媒体の一例を示す要部断面図である。
【図２】ホログラフィック材料の感光プロセスを示す図である。
【図３】ホログラフィックステレオグラム作成装置の一構成例を示す図である。
【図４】露光処理部の光学系の一構成例を示す図である。
【図５】プリンタヘッド部の一構成例を示す図である。
【図６】ホログラフィックステレオグラムの作成方法を示す図である。
【符号の説明】
１０  記録媒体、  １１  基体、  １２  ホログラム記録層、  １３  保護層、  ２１  データ処理部、  ２２  制御用コンピュータ、  ２３  露光処理部、３１  レーザ光源、  ３２  シャッタ、  ３３  ハーフミラー、  ３４  シリンドリカルレンズ、  ３５  コリメータレンズ、  ３６  全反射ミラー、  ３７全反射ミラー、  ３８  スペーシャルフィルタ、  ３９  コリメータレンズ、４０  表示装置、  ４１  投影レンズ、  ４２  シリンドリカルレンズ、  ４３  プリンタヘッド部、  ５１  フィルムカートリッジ、  ５２  間欠送り用ローラ、  ５３  間欠送り用ローラ、  ５４  ピンチローラ、  ５５  １次元拡散板、  ５６  ルーバフィルム、  ５７  光学部品、  ５８  紫外線ランプ、  ５９  ヒートローラ、  ６０  プリンタ
【図１】
0003721654.tif 000002
【図２】
0003721654.tif 000003
【図３】
0003721654.tif 000004
【図４】
0003721654.tif 000005
【図５】
0003721654.tif 000006
【図６】
0003721654.tif 000007